(57)【特許請求の範囲】
【請求項１】
少なくとも一つの照明ユニットを備える照明装置において、
前記少なくとも一つの照明ユニットのそれぞれは、
第一表面と、前記第一表面の反対側の第二表面と、前記第一表面及び前記第二表面とは異なる方向を向く第三表面とを有するベースと、
前記ベースの前記第一表面に沿って配置された第一発光素子と、
前記ベースの前記第二表面に沿って配置された第二発光素子と、
前記第一発光素子から放射された光を受ける第一エッジと、光を放射する第一光放射面とを有する第一導光体と、
前記第二発光素子から放射された光を受ける第二エッジと、光を放射する第二光放射面とを有する第二導光体と、
前記ベースの前記第三表面に隣り合う複数の放熱フィンを有するフィンアセンブリと、
を備え、
前記第一導光体の前記第一エッジと前記第二導光体の前記第二エッジとの最短距離に平行な方向を第一方向とし、
前記フィンアセンブリの前記第一方向の寸法は、前記最短距離に比べて大きく、
前記複数の放熱フィンは、空間を挟んで隣り合う放熱フィンを含み、
前記第一光放射面から放射された光の一部が前記隣り合う放熱フィンの間を通過し、
前記第二光放射面から放射された光の一部が前記隣り合う放熱フィンの間を通過する、
照明装置。
【請求項２】
照明ユニットを備える照明装置において、
前記照明ユニットは、
第一表面と、前記第一表面の反対側の第二表面と、前記第一表面及び前記第二表面とは異なる方向を向く第三表面とを有するベースと、
前記ベースの前記第一表面に沿って配置された第一発光素子と、
前記第一発光素子から放射された光を受ける第一エッジと、光を放射する第一光放射面とを有する第一導光体と、
前記ベースの前記第二表面に隣り合う第二エッジと、光を放射する第二光放射面とを有する第二導光体と、
前記ベースの前記第三表面に隣り合う複数の放熱フィンを有するフィンアセンブリと、
を備え、
前記第一導光体の前記第一エッジと前記第二導光体の前記第二エッジとの最短距離に平行な方向を第一方向とし、
前記フィンアセンブリの前記第一方向の寸法は、前記最短距離に比べて大きく、
前記複数の放熱フィンは、空間を挟んで隣り合う放熱フィンを含み、
前記第一光放射面から放射された光の一部が前記隣り合う放熱フィンの間を通過し、
前記第二光放射面から放射された光の一部が前記隣り合う放熱フィンの間を通過し、
前記第一導光体は、前記第二導光体に対して一体化しており、
前記第一エッジから前記第一導光体に入射した光は、前記第一導光体の内部から前記第二導光体の内部へ進み、前記第二導光体の内部の光が前記第二光放射面から外部へ放射される、
照明装置。
【請求項３】
前記複数の放熱フィンは、前記第一方向、または前記第一方向に対して斜めの方向、に沿う表面を有する放熱フィンを含む請求項１または請求項２に記載の照明装置。
【請求項４】
前記ベースは、細長い形状を有する請求項１から請求項３のいずれか一項に記載の照明装置。
【請求項５】
前記複数の放熱フィンは、前記ベースの長手方向に沿う表面を有する放熱フィンを含む請求項４に記載の照明装置。
【請求項６】
前記少なくとも一つの照明ユニットは、第一照明ユニットと、前記第一照明ユニットに隣り合う第二照明ユニットとを含み、
前記第一照明ユニットの前記第一導光体と、前記第二照明ユニットの前記第二導光体とが一体である請求項１に記載の照明装置。
【請求項７】
前記少なくとも一つの照明ユニットは、前記照明装置の軸線を中心とする周方向に沿って配置された複数の照明ユニットを含む請求項１または請求項６に記載の照明装置。
【請求項８】
前記複数の照明ユニットの前記第一導光体及び前記第二導光体が全体として環状に配置されている請求項７に記載の照明装置。
【請求項９】
前記環状に配置された前記第一導光体及び前記第二導光体を、前記軸線に対して垂直な平面で切断した断面において、前記第一光放射面及び前記第二光放射面により形成される外周面の上にある二点の間の距離が最大になる最大距離に比べて、前記第一導光体及び前記第二導光体の、前記軸線に平行な方向の寸法が大きい請求項８に記載の照明装置。
【請求項１０】
前記複数の照明ユニットにより囲まれる内部空間に配置された第三発光素子を備える請求項７から請求項９のいずれか一項に記載の照明装置。
【請求項１１】
前記ベースの前記第一方向の寸法が前記最短距離より大きく、
前記フィンアセンブリの前記第一方向の前記寸法が、前記ベースの前記第一方向の前記寸法に比べて大きい請求項１から請求項１０のいずれか一項に記載の照明装置。
【請求項１２】
前記ベースと、前記フィンアセンブリとを接続するヒートパイプを備える請求項１から請求項１１のいずれか一項に記載の照明装置。
【請求項１３】
前記第一光放射面及び前記第二光放射面が面する表空間と、前記表空間と反対側の裏空間とが、前記ベース、前記第一導光体及び前記第二導光体により隔てられ、
前記フィンアセンブリは、前記表空間にある請求項１から請求項１２のいずれか一項に記載の照明装置。
【請求項１４】
前記第一光放射面及び前記第二光放射面が面する表空間と、前記表空間と反対側の裏空間とが、前記ベース、前記第一導光体及び前記第二導光体により隔てられ、
前記フィンアセンブリは、前記裏空間にある請求項１から請求項１２のいずれか一項に記載の照明装置。
【発明の詳細な説明】
【技術分野】
【０００１】
本発明は、照明装置に関する。
【背景技術】
【０００２】
下記特許文献１には、曲面導光板と、曲面導光板の端辺に配置された複数の発光素子とを備えた照明装置が開示されている。
【先行技術文献】
【特許文献】
【０００３】
【特許文献１】日本実用新案登録第３１５６２３８号公報
【発明の概要】
【発明が解決しようとする課題】
【０００４】
照明装置の点灯時に発光素子が発熱する。発熱により発光素子が高温になると、エネルギー効率が低下したり、発光素子の寿命が短くなったりする。上述した従来の照明装置では、点灯時に発光素子が高温になりやすい。【０００５】
本発明は、上述のような課題を解決するためになされたもので、点灯時の発光素子の温度を低くすることのできる照明装置を提供することを目的とする。
【課題を解決するための手段】
【０００６】
本発明の照明装置は、少なくとも一つの照明ユニットを備える照明装置において、少なくとも一つの照明ユニットのそれぞれは、第一表面と、第一表面の反対側の第二表面と、第一表面及び第二表面とは異なる方向を向く第三表面とを有するベースと、ベースの第一表面に沿って配置された第一発光素子と、ベースの第二表面に沿って配置された第二発光素子と、第一発光素子から放射された光を受ける第一エッジと、光を放射する第一光放射面とを有する第一導光体と、第二発光素子から放射された光を受ける第二エッジと、光を放射する第二光放射面とを有する第二導光体と、ベースの第三表面に隣り合う複数の放熱フィンを有するフィンアセンブリと、を備え、第一導光体の第一エッジと第二導光体の第二エッジとの最短距離に平行な方向を第一方向とし、フィンアセンブリの第一方向の寸法は、最短距離に比べて大きく、複数の放熱フィンは、空間を挟んで隣り合う放熱フィンを含み、第一光放射面から放射された光の一部が隣り合う放熱フィンの間を通過し、第二光放射面から放射された光の一部が隣り合う放熱フィンの間を通過するものである。
また、本発明の照明装置は、照明ユニットを備える照明装置において、照明ユニットは、第一表面と、第一表面の反対側の第二表面と、第一表面及び第二表面とは異なる方向を向く第三表面とを有するベースと、ベースの第一表面に沿って配置された第一発光素子と、第一発光素子から放射された光を受ける第一エッジと、光を放射する第一光放射面とを有する第一導光体と、ベースの第二表面に隣り合う第二エッジと、光を放射する第二光放射面とを有する第二導光体と、ベースの第三表面に隣り合う複数の放熱フィンを有するフィンアセンブリと、を備え、第一導光体の第一エッジと第二導光体の第二エッジとの最短距離に平行な方向を第一方向とし、フィンアセンブリの第一方向の寸法は、最短距離に比べて大きく、複数の放熱フィンは、空間を挟んで隣り合う放熱フィンを含み、第一光放射面から放射された光の一部が隣り合う放熱フィンの間を通過し、第二光放射面から放射された光の一部が隣り合う放熱フィンの間を通過し、第一導光体は、第二導光体に対して一体化しており、第一エッジから第一導光体に入射した光は、第一導光体の内部から第二導光体の内部へ進み、第二導光体の内部の光が第二光放射面から外部へ放射されるものである。
【発明の効果】
【０００７】
本発明の照明装置によれば、第一導光体の第一エッジと第二導光体の第二エッジとの最短距離に比べて、フィンアセンブリの上記寸法を大きくしたことで、点灯時の発光素子の温度を低くすることが可能となる。
【図面の簡単な説明】
【０００８】
【図１】実施の形態１による照明装置を示す斜視図である。
【図２】図１に示す照明ユニットから第一導光体及び第二導光体を除去した状態を示す斜視図である。
【図３】図１に示す照明ユニットを、ベースの長手方向に平行な方向から見た図である。
【図４】実施の形態２による照明装置を示す図である。
【図５】実施の形態３による照明装置を示す図である。
【図６】実施の形態４による照明装置を示す斜視図である。
【図７】図６に示す照明装置を軸線に平行な方向から見た図である。
【図８】実施の形態５による照明装置を示す斜視図である。
【図９】図８に示す照明装置の照明ユニットから第一導光体及び第二導光体を除去した状態を示す斜視図である。
【図１０】図８に示す照明装置を軸線に平行な方向から見た図である。
【図１１】図８に示す照明装置の縦断面図である。
【図１２】実施の形態６による照明装置を示す斜視図である。
【図１３】実施の形態７による照明装置を示す斜視図である。
【図１４】実施の形態８による照明装置を示す斜視図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による照明装置１Ａを示す斜視図である。図１に示すように、照明装置１Ａは、照明ユニット２Ａを備える。照明装置１Ａは、例えば、電気ソケットに対して接続可能な口金（図示省略）をさらに備えてもよい。図２は、図１に示す照明ユニット２Ａから第一導光体６及び第二導光体７を除去した状態を示す斜視図である。図３は、図１に示す照明ユニット２Ａを、ベース３の長手方向に平行な方向から見た図である。これらの図に示すように、照明ユニット２Ａは、ベース３、第一発光素子４、第二発光素子５、第一導光体６、第二導光体７、及びフィンアセンブリ８を備える。ベース３及びフィンアセンブリ８は、高い熱伝導率を有する材料で作られることが望ましい。例えば、ベース３及びフィンアセンブリ８は、金属材料で作られることが望ましい。第一導光体６及び第二導光体７は、光透過性を有する材料で作られる。第一導光体６及び第二導光体７は、例えば、アクリル系樹脂またはスチレン系樹脂のようなプラスチック製でもよい。第一導光体６及び第二導光体７は、例えば、ガラス製でもよい。
【００１１】
図２に示すように、ベース３は、細長い形状を有する。ベース３は、第一表面３ａ、第二表面３ｂ、及び外表面３ｃを有する。第一表面３ａは、ベース３の長手方向に沿って延びる。第二表面３ｂは、第一表面３ａに対して反対側の表面である。第二表面３ｂは、ベース３の長手方向に沿って延びる。外表面３ｃは、第一表面３ａ及び第二表面３ｂとは異なる方向を向く第三表面に相当する。外表面３ｃは、ベース３の長手方向に沿って延びる。
【００１２】
ベース３は、内表面３ｆを有する。内表面３ｆは、外表面３ｃに対して反対側の表面である。内表面３ｆは、ベース３の長手方向に沿って延びる。
【００１３】
第一発光素子４は、ベース３の第一表面３ａに沿って配置されている。第一発光素子４は、半導体光源でもよい。第一発光素子４は、例えば、発光ダイオード（ＬＥＤ）素子でもよい。第一発光素子４は、例えば、表面実装型ＬＥＤパッケージ、チップ・スケール・パッケージのＬＥＤ、砲弾型ＬＥＤパッケージ、配光レンズ付きＬＥＤパッケージ、チップ・オン・ボード（ＣＯＢ）タイプのＬＥＤパッケージのいずれかでもよい。第一発光素子４は、ＬＥＤ素子に限らず、例えば、有機エレクトロルミネセンス（ＥＬ）素子、半導体レーザ素子などでもよい。本実施の形態では、複数の第一発光素子４が、ベース３の長手方向に沿って、並んでいる。本実施の形態であれば、細長い形状を有するベース３に複数の第一発光素子４を配置することで、第一発光素子４の数を多くできる。このため、照明装置１Ａの光束を大きくする上で有利になる。
【００１４】
第一発光素子４は、ベース３に対して熱的に接続される。第一発光素子４で発生した熱は、熱伝導によりベース３へ移動する。第一発光素子４が実装された光源基板と、ベース３の第一表面３ａとの間に、例えば、熱伝導性グリス、熱伝導性シート、熱伝導性接着剤、熱伝導性両面粘着テープ、のような熱伝導性材料（図示せず）が挟まれていてもよい。あるいは、第一発光素子４が実装された光源基板と、ベース３とが一体的に形成されていてもよい。
【００１５】
給電線１０は、第一発光素子４が実装された光源基板に対して接続されている。給電線１０は、ベース３の内部に配設されてもよい。給電線１０により電力が供給されることで第一発光素子４が点灯する。
【００１６】
図２には表れていないが、第二発光素子５は、ベース３の第二表面３ｂに沿って配置されている。第二発光素子５の構成は、その位置が異なること以外は、第一発光素子４の構成と同一または類似である。第二発光素子５は、ベース３に対して熱的に接続される。第二発光素子５で発生した熱は、熱伝導によりベース３へ移動する。
【００１７】
フィンアセンブリ８は、複数の放熱フィン８ａを備える。フィンアセンブリ８は、複数の放熱フィン８ａの集合体である。放熱フィン８ａは、ベース３の外表面３ｃに隣り合うように位置する。放熱フィン８ａは、ベース３に対して熱的に接続される。ベース３の熱は、放熱フィン８ａへ移動する。ベース３及び放熱フィン８ａの表面から対流及び輻射により熱が散逸する。本実施の形態であれば、フィンアセンブリ８を備えたことで、熱を散逸させるための表面積を大きくできる。このため、照明ユニット２Ａの点灯時の第一発光素子４及び第二発光素子５の温度を低くできる。その結果、第一発光素子４及び第二発光素子５のエネルギー効率を良好にできるとともに、第一発光素子４及び第二発光素子５の寿命を長くできる。
【００１８】
図３に示すように、第一導光体６は、第一エッジ６ａ及び第一光放射面６ｂを有する。第一エッジ６ａは、ベース３の第一表面３ａに隣り合う。第一エッジ６ａは、ベース３の長手方向に沿って延びる。第一エッジ６ａは、ベース３の第一表面３ａに対向する。第一エッジ６ａは、第一発光素子４から放射された光を受ける。光が第一エッジ６ａから第一導光体６内に入射する。
【００１９】
光は、第一導光体６の内部に広がる。第一導光体６は、遠位エッジ６ｃを有する。遠位エッジ６ｃは、第一エッジ６ａに対して反対側のエッジである。第一エッジ６ａから第一導光体６内に入射した光の一部は、遠位エッジ６ｃまで到達する。第一光放射面６ｂは、第一エッジ６ａと遠位エッジ６ｃとの間の全域に形成されている。第一導光体６の内部の光は、第一光放射面６ｂの全面から外部へ放射される。
【００２０】
本実施の形態において、第一導光体６は、湾曲した板状の形状を有する。第一導光体６が有する凸曲面が第一光放射面６ｂに相当する。ベース３の長手方向に平行な方向から見たとき、第一導光体６は、円弧に沿うように湾曲する。第一光放射面６ｂは、円柱面に沿う。第一光放射面６ｂの法線は、ベース３の長手方向に対して垂直である。
【００２１】
第二導光体７は、第二エッジ７ａ及び第二光放射面７ｂを有する。第二エッジ７ａは、ベース３の第二表面３ｂに隣り合う。第二エッジ７ａは、ベース３の長手方向に沿って延びる。第二エッジ７ａは、ベース３の第二表面３ｂに対向する。第二エッジ７ａは、第二発光素子５から放射された光を受ける。光が第二エッジ７ａから第二導光体７内に入射する。
【００２２】
光は、第二導光体７の内部に広がる。第二導光体７は、遠位エッジ７ｃを有する。遠位エッジ７ｃは、第二エッジ７ａに対して反対側のエッジである。第二エッジ７ａから第二導光体７内に入射した光の一部は、遠位エッジ７ｃまで到達する。第二光放射面７ｂは、第二エッジ７ａと遠位エッジ７ｃとの間の全域に形成されている。第二導光体７の内部の光は、第二光放射面７ｂの全面から外部へ放射される。
【００２３】
本実施の形態において、第二導光体７は、湾曲した板状の形状を有する。第二導光体７が有する凸曲面が第二光放射面７ｂに相当する。ベース３の長手方向に平行な方向から見たとき、第二導光体７は、円弧に沿うように湾曲する。第二光放射面７ｂは、円柱面に沿う。第二光放射面７ｂの法線は、ベース３の長手方向に対して垂直である。第二導光体７は、ベース３の長手方向に平行な平面に関して、第一導光体６と面対称な形状を有する。
【００２４】
図３中のＬ１は、第一導光体６の第一エッジ６ａと、第二導光体７の第二エッジ７ａとの最短距離を示す。この最短距離Ｌ１に平行な方向を「第一方向」と称する。フィンアセンブリ８の第一方向の寸法Ｌ２は、第一方向についてのフィンアセンブリ８の最大長さである。寸法Ｌ２は、最短距離Ｌ１に比べて大きい。これにより、以下の効果が得られる。フィンアセンブリ８を十分に大きくできるので、フィンアセンブリ８の総表面積を十分に大きくできる。それゆえ、照明ユニット２Ａの点灯時の第一発光素子４及び第二発光素子５の温度を確実に低くできる。その結果、第一発光素子４及び第二発光素子５のエネルギー効率を十分に良好にできるとともに、第一発光素子４及び第二発光素子５の寿命を確実に長くできる。
【００２５】
「表空間」は、第一光放射面６ｂ及び第二光放射面７ｂが面する空間である。「裏空間」は、ベース３、第一導光体６及び第二導光体７を介して、「表空間」と反対側の空間である。「表空間」と「裏空間」とは、ベース３、第一導光体６及び第二導光体７により隔てられている。本実施の形態において、フィンアセンブリ８は、「表空間」に存在している。「表空間」は、「裏空間」に比べて、空気が流れやすく、熱がこもりにくい。熱のこもりにくい「表空間」にフィンアセンブリ８が存在することで、フィンアセンブリ８による放熱効率をより高くすることが可能となる。
【００２６】
本実施の形態において、放熱フィン８ａは、第一方向に沿う表面を有する板状の形状を有する。放熱フィン８ａは、ベース３の外表面３ｃに対して垂直な方向に突出する。ベース３の長手方向に沿って、複数の放熱フィン８ａが並んでいる。隣り合う放熱フィン８ａの間に空間が形成される。第一光放射面６ｂ及び第二光放射面７ｂから放射された光の一部は、隣り合う放熱フィン８ａの間を通過する。図３中の光線Ｒ１は、第二光放射面７ｂから放射され、隣り合う放熱フィン８ａの間を通過する光線の例である。
【００２７】
本実施の形態であれば、第一光放射面６ｂ及び第二光放射面７ｂから放射された光の一部が、隣り合う放熱フィン８ａの間を通過することで、以下の効果が得られる。放熱フィン８ａによって遮られる光を少なくできる。このため、照明装置１Ａの配光特性が良好となる。
【００２８】
本実施の形態の構成に代えて、放熱フィン８ａが、第一方向に対して斜めの方向に沿う表面を有する板状の形状を有してもよい。その場合であっても、第一光放射面６ｂ及び第二光放射面７ｂから放射された光の一部は、隣り合う放熱フィン８ａの間を通過する。よって、上記効果に類似した効果が得られる。
【００２９】
図２に示すように、本実施の形態において照明ユニット２Ａは、ヒートパイプ９を備える。ヒートパイプ９は、ベース３に対してフィンアセンブリ８を熱的に接続する。ヒートパイプ９の大部分は、ベース３の長手方向に沿って配置されている。ヒートパイプ９は、ベース３の内部に配置された部分と、複数の放熱フィン８ａを貫くように配置された部分とを有する。なお、図３では、ヒートパイプ９が断面として示されている。本実施の形態であれば、ベース３からフィンアセンブリ８への熱の移動をヒートパイプ９によって促進することができる。
【００３０】
フィンアセンブリ８がベース３に対して熱伝導可能に接していてもよい。フィンアセンブリ８がベース３に対して直接固定されていてもよい。フィンアセンブリ８がベース３に対して一体的に形成されていてもよい。これらの場合には、熱がベース３からフィンアセンブリ８へ直接的に移動できる。
【００３１】
フィンアセンブリ８がヒートパイプ９を介してベース３に支持されている場合には、フィンアセンブリ８がベース３に対して直接固定されていなくてもよいし、フィンアセンブリ８がベース３に接していなくてもよい。
【００３２】
照明ユニット２Ａは、ヒートパイプ９を備えなくてもよい。ヒートパイプ９を備えない場合には、フィンアセンブリ８がベース３に対して直接固定されるか、フィンアセンブリ８がベース３に対して一体的に形成されればよい。
【００３３】
図３に示すように、本実施の形態においてベース３は、ベース３の長手方向に沿って延びるリブ３ｄ及びリブ３ｅを備える。リブ３ｄは、第一表面３ａに対して突出する。リブ３ｅは、第二表面３ｂに対して突出する。ベース３の第一方向の寸法Ｌ３は、第一方向についてのベース３の最大長さである。寸法Ｌ３は、リブ３ｄの先端と、リブ３ｅの先端との距離である。寸法Ｌ３は、第一導光体６の第一エッジ６ａと第二導光体７の第二エッジ７ａとの最短距離Ｌ１に比べて大きい。フィンアセンブリ８の第一方向の寸法Ｌ２は、ベース３の第一方向の寸法Ｌ３に比べて大きい。
【００３４】
寸法Ｌ３は、ベース３とフィンアセンブリ８とが接する部分の、第一方向の長さに相当する。本実施の形態であれば、当該長さに相当する寸法Ｌ３が、第一エッジ６ａと第二エッジ７ａとの最短距離Ｌ１に比べて大きいことで、以下の効果が得られる。フィンアセンブリ８をベース３に対してより確実に保持させることができる。ベース３とフィンアセンブリ８との間の熱抵抗をより小さくできる。
【００３５】
本実施の形態であれば、面積の広い第一光放射面６ｂ及び第二光放射面７ｂから光が放射されることで、輝度ムラの小さい、良好な照明状態が得られる。第一エッジ６ａと第二エッジ７ａとの最短距離Ｌ１は、第一光放射面６ｂと第二光放射面７ｂとの間の非発光領域の幅に相当する。本実施の形態であれば、当該距離Ｌ１が、フィンアセンブリ８の第一方向の寸法Ｌ２に比べて小さいことで、以下の効果が得られる。第一光放射面６ｂ及び第二光放射面７ｂの面積に比べて、当該非発光領域の面積を十分に小さくできる。よって、非発光領域の存在に起因する輝度ムラを確実に軽減できる。
【００３６】
第一光放射面６ｂ及び第二光放射面７ｂから出射する光を拡散させてもよい。図３中の拡散光Ｒ２は、第一光放射面６ｂから拡散して放射される光の光線の例である。第一光放射面６ｂ及び第二光放射面７ｂに、光を拡散させる拡散シートが設置されてもよい。または、第一光放射面６ｂ及び第二光放射面７ｂに、光を拡散させる拡散塗料が塗られていてもよい。または、第一光放射面６ｂ及び第二光放射面７ｂに、光を拡散させる微細な凹凸が形成されていてもよい。
【００３７】
ベース３の長手方向に平行な方向から見たときに、以下のようになる。第一発光素子４の光軸は、第一エッジ６ａにおける第一光放射面６ｂの接線方向に対して実質的に平行になる。第二発光素子５の光軸は、第二エッジ７ａにおける第二光放射面７ｂの接線方向に対して実質的に平行になる。このような構成によれば、第一光放射面６ｂ及び第二光放射面７ｂの面積に比べて、第一光放射面６ｂと第二光放射面７ｂとの間の非発光領域の面積を十分に小さくできる。よって、非発光領域の存在に起因する輝度ムラを確実に軽減できる。
【００３８】
第一導光体６は、裏面６ｄを有する。裏面６ｄは、第一光放射面６ｂに対して反対側の面である。第二導光体７は、裏面７ｄを有する。裏面７ｄは、第二光放射面７ｂに対して反対側の面である。裏面６ｄ及び裏面７ｄの少なくとも一部に、光を反射させる反射層が備えられてもよい。当該反射層は、例えば、反射シートの貼り付け、反射塗料の塗布、白色の印刷、微細な凹凸などで構成されてもよい。当該反射層によれば、裏面６ｄ及び裏面７ｄから光が出射することをより確実に防止できるので、第一光放射面６ｂ及び第二光放射面７ｂから放射される光の量を増加させることが可能となる。当該反射層は、入光部である第一エッジ６ａまたは第二エッジ７ａに近いほど粗くなり、第一エッジ６ａまたは第二エッジ７ａから離れるほど密となるパターンを形成していてもよい。複数のドットにより当該反射層を形成し、入光部である第一エッジ６ａまたは第二エッジ７ａに近いほどドットのサイズを小さくし、第一エッジ６ａまたは第二エッジ７ａから離れるほどドットのサイズを大きくしてもよい。
【００３９】
実施の形態２．
次に、図４を参照して、実施の形態２について説明するが、前述した実施の形態１との相違点を中心に説明し、同一部分または相当部分については説明を簡略化または省略する。図４は、実施の形態２による照明装置１Ｂを示す図である。
【００４０】
図４に示すように、照明装置１Ｂは、照明ユニット２Ｂを備える。照明ユニット２Ｂは、実施の形態１における第一導光体６及び第二導光体７に代えて、第一導光体１１及び第二導光体１２を備える。図４は、照明ユニット２Ｂが備えるベース３の長手方向に平行な方向から見た図である。
【００４１】
第一導光体１１は、平板状の形状を有する。第一導光体１１は、第一エッジ１１ａ、第一光放射面１１ｂ、遠位エッジ１１ｃ、及び裏面１１ｄを有する。
【００４２】
第二導光体１２は、平板状の形状を有する。第二導光体１２は、第二エッジ１２ａ、第二光放射面１２ｂ、遠位エッジ１２ｃ、及び裏面１２ｄを有する。第二光放射面１２ｂは、第一光放射面１１ｂに対して同一平面上にある。
【００４３】
本実施の形態の照明装置１Ｂは、例えば、天井１００に対して取り付けることが可能である。この場合、第一光放射面１１ｂ及び第二光放射面１２ｂは、天井１００に対向する床面の方向を向く。第一光放射面１１ｂ及び第二光放射面１２ｂから放射される光により、室内を照明できる。図示の構成では、ベース３が天井１００に対して固定されている。本実施の形態の照明装置１Ｂであれば、薄型の面発光照明器具を達成できる。
【００４４】
本実施の形態の構成に代えて、第一光放射面１１ｂに沿う平面と、第二光放射面１２ｂに沿う平面とが交わるように、第一導光体１１及び第二導光体１２を配置してもよい。例えば、ベース３の長手方向に平行な方向から見て、第一導光体１１及び第二導光体１２がＶ字状の形状を呈するように第一導光体１１及び第二導光体１２を配置してもよい。
【００４５】
実施の形態３．
次に、図５を参照して、実施の形態３について説明するが、前述した実施の形態１との相違点を中心に説明し、同一部分または相当部分については説明を簡略化または省略する。図５は、実施の形態３による照明装置１Ｃを示す図である。
【００４６】
図５に示すように、照明装置１Ｃは、照明ユニット２Ｃを備える。照明ユニット２Ｃは、実施の形態１における第一導光体６及び第二導光体７に代えて、第一導光体１３及び第二導光体１４を備える。図４は、照明ユニット２Ｃが備えるベース３の長手方向に平行な方向から見た図である。
【００４７】
第一導光体１３は、第二導光体１４に対して一体化している。第一導光体１３は、湾曲した板状の形状を有する。第二導光体１４は、湾曲した板状の形状を有する。図５中で右側の半円筒形の領域が第一導光体１３に相当する。図５中で左側の半円筒形の領域が第二導光体１４に相当する。
【００４８】
第一導光体１３は、第一エッジ１３ａ、第一光放射面１３ｂ、及び裏面１３ｄを有する。第一エッジ１３ａは、ベース３の第一表面３ａに隣り合う。第一エッジ１３ａは、ベース３の長手方向に沿って延びる。第一エッジ１３ａは、ベース３の第一表面３ａに対向する。第一エッジ１３ａは、第一発光素子４から放射された光を受ける。光が第一エッジ１３ａから第一導光体１３内に入射する。
【００４９】
第二導光体１４は、第二エッジ１４ａ、第二光放射面１４ｂ、及び裏面１４ｄを有する。第二エッジ１４ａは、ベース３の第二表面３ｂに隣り合う。第二エッジ１４ａは、ベース３の長手方向に沿って延びる。第二エッジ１４ａは、ベース３の第二表面３ｂに対向する。第二光放射面１４ｂは、第一光放射面１３ｂに対して滑らかに連続する。第一光放射面１３ｂ及び第二光放射面１４ｂは、円柱面に沿う。
【００５０】
第一導光体１３及び第二導光体１４が一体化した円筒状の導光体は、ベース３の長手方向に平行な方向から見て、Ｃ字状の形状を有する。本実施の形態において、ベース３の第二表面３ｂに沿う第二発光素子５は、備えられていない。
【００５１】
第一導光体１３の第一エッジ１３ａから入射した光は、第一導光体１３及び第二導光体１４の内部に広がる。第一エッジ１３ａから入射した光の一部は、上記の円筒状かつＣ字状の導光体の円周方向に沿って広がり、第二導光体１４の第二エッジ１４ａまで到達する。第一導光体１３及び第二導光体１４の内部の光は、第一光放射面１３ｂ及び第二光放射面１４ｂの全面から外部へ放射される。
【００５２】
本実施の形態のように、第一導光体１３の内部から第二導光体１４の内部へ光が進むことができる場合には、第二発光素子５が備えられなくてもよい。ただし、本実施の形態において、照明ユニット２Ｃが、ベース３の第二表面３ｂに沿って配置された第二発光素子５をさらに備えてもよいことは言うまでもない。第二発光素子５が備えられた場合には、照明ユニット２Ｃから放射される光の量をさらに多くすることができる。
【００５３】
実施の形態４．
次に、図６及び図７を参照して、実施の形態４について説明するが、前述した実施の形態１との相違点を中心に説明し、同一部分または相当部分については説明を簡略化または省略する。図６は、実施の形態４による照明装置１Ｄを示す斜視図である。
【００５４】
本実施の形態の照明装置１Ｄの用途は、特に限定されるものではない。本実施の形態の照明装置１Ｄは、例えば、街路灯、道路灯、公園灯、高天井灯などの、屋内及び屋外の照明器具（図示せず）が備える電気ソケットに対して取り付け可能である。照明装置１Ｄは、例えば水銀ランプのような、従来のＨｉｇｈ  Ｉｎｔｅｎｓｉｔｙ  Ｄｉｓｃｈａｒｇｅ（ＨＩＤ）ランプの代替として使用されるものでもよい。
【００５５】
図６に示すように、照明装置１Ｄは、口金１５を備える。本実施の形態における口金１５は、電気ソケットに対してねじ込むことで接続可能なねじ込み式の口金である。照明器具が備える電気ソケットに口金１５をねじ込むことで、照明装置１Ｄを当該照明器具に取り付けることができる。照明装置１Ｄは、図示のようなねじ込み式の口金１５に代えて、差し込み式の口金を備えるものでもよい。
【００５６】
照明装置１Ｄの軸線ＡＸは、口金１５の中心を通る直線である。軸線ＡＸは、照明装置１Ｄの中心軸に相当する。照明装置１Ｄは、口金１５が上向きまたは斜め上向き、口金１５が下向きまたは斜め下向き、口金１５が横向き、などのいかなる姿勢で使用されてもよい。
【００５７】
照明装置１Ｄは、軸線ＡＸを中心とする周方向に沿って配置された複数の照明ユニット２Ｄを備える。本実施の形態において照明装置１Ｄは、３個の照明ユニット２Ｄを備える。これらの照明ユニット２Ｄは、互いに同一または類似の構成を有する。以下の説明では、「周方向」とは、特に断らない限り、軸線ＡＸを中心とする周方向を意味する。
【００５８】
照明装置１Ｄは、支持体１６及び口金保持部１７を備える。支持体１６は、複数の照明ユニット２Ｄを支持する。支持体１６は、各々の照明ユニット２Ｄへ向かって放射状に突出する複数の腕部１６ａを有する。口金保持部１７は、口金１５と支持体１６とを連結する。照明ユニット２Ｄのベース３は、例えば、ねじ２１により、支持体１６の腕部１６ａに対して固定されている。ベース３の長手方向は、軸線ＡＸに対して平行である。
【００５９】
支持体１６は、高い熱伝導率を有する材料、例えば金属材料で構成されることが望ましい。ベース３から支持体１６へ熱伝導することで、支持体１６の表面からも放熱でき、放熱性がさらに向上する。口金保持部１７の少なくとも一部は、絶縁性を有する樹脂材料で構成されてもよい。口金保持部１７は、耐熱性及び放熱性に優れた樹脂材料、金属材料、またはこれらの組み合わせにより構成されることが望ましい。
【００６０】
口金１５と照明ユニット２Ｄの光源基板との間は、支持体１６及び口金保持部１７の内部に配設された給電線を介して、電気的に接続されている。口金１５に印加された直流電力が当該給電線により照明ユニット２Ｄへ供給されることで、照明ユニット２Ｄが点灯する。または、照明装置１Ｄは、口金１５に印加された交流電力を直流電力に変換する電源回路（図示省略）を内蔵し、口金１５からその電源回路を介して照明ユニット２Ｄへ給電するように構成されていてもよい。
【００６１】
照明装置１Ｄが備える複数の照明ユニット２Ｄは、軸線ＡＸから等距離、かつ、軸線ＡＸの周りに等角度間隔で配置されている。本実施の形態１では、３個の照明ユニット２Ｄが１２０°間隔で配置されている。各々の照明ユニット２Ｄは、他の照明ユニット２Ｄを軸線ＡＸを中心に回転移動した位置にある。各々の照明ユニット２Ｄは、隣り合う照明ユニット２Ｄを軸線ＡＸを中心に１２０°回転移動した位置にある。
【００６２】
なお、軸線ＡＸを中心とする周方向に沿って配置される照明ユニットの数をＮとすると、本実施の形態のようなＮ＝３に限らず、例えば、Ｎ＝２でもよいし、Ｎが４以上の整数でもよい。Ｎ個の照明ユニットを、軸線ＡＸの周りに、３６０°／Ｎの間隔で配置することで、本実施の形態に類似の効果が得られる。
【００６３】
図７は、図６に示す照明装置１Ｄを軸線ＡＸに平行な方向から見た図である。照明ユニット２Ｄは、実施の形態１における第一導光体６及び第二導光体７に代えて、第一導光体１８及び第二導光体１９を備える。
【００６４】
第一導光体１８は、第一エッジ１８ａ、第一光放射面１８ｂ、及び裏面１８ｄを有する。第一エッジ１８ａは、ベース３の第一表面３ａに隣り合う。第一エッジ１８ａは、ベース３の長手方向に沿って延びる。第一エッジ１８ａは、ベース３の第一表面３ａに対向する。第一エッジ１８ａは、第一発光素子４から放射された光を受ける。光が第一エッジ１８ａから第一導光体１８内に入射する。光は、第一導光体１８の内部に広がる。第一導光体１８の内部の光は、第一光放射面１８ｂの全面から外部へ放射される。
【００６５】
本実施の形態において、第一導光体１８は、湾曲した板状の形状を有する。第一導光体１８が有する凸曲面が第一光放射面１８ｂに相当する。軸線ＡＸに平行な方向から見たとき、第一導光体１８は、円弧に沿うように湾曲する。第一光放射面１８ｂは、軸線ＡＸを中心とする円柱面に沿う。第一光放射面１８ｂの法線は、軸線ＡＸに対して垂直である。裏面１８ｄは、第一光放射面１８ｂに対して反対側の面である。第一導光体１８が有する凹曲面が裏面１８ｄに相当する。
【００６６】
第二導光体１９は、第二エッジ１９ａ、第二光放射面１９ｂ、及び裏面１９ｄを有する。第二エッジ１９ａは、ベース３の第二表面３ｂに隣り合う。第二エッジ１９ａは、ベース３の長手方向に沿って延びる。第二エッジ１９ａは、ベース３の第二表面３ｂに対向する。第二エッジ１９ａは、第二発光素子５から放射された光を受ける。光が第二エッジ１９ａから第二導光体１９内に入射する。光は、第二導光体１９の内部に広がる。第二導光体１９の内部の光は、第二光放射面１９ｂの全面から外部へ放射される。
【００６７】
本実施の形態において、第二導光体１９は、湾曲した板状の形状を有する。第二導光体１９が有する凸曲面が第二光放射面１９ｂに相当する。軸線ＡＸに平行な方向から見たとき、第二導光体１９は、円弧に沿うように湾曲する。第二光放射面１９ｂは、軸線ＡＸを中心とする円柱面に沿う。第二光放射面１９ｂの法線は、軸線ＡＸに対して垂直である。裏面１９ｄは、第二光放射面１９ｂに対して反対側の面である。第二導光体１９が有する凹曲面が裏面１９ｄに相当する。
【００６８】
説明の都合上、隣り合う二つの照明ユニット２Ｄのうちの、一方を「第一照明ユニット」と呼び、他方を「第二照明ユニット」と呼ぶ。例として、図７中で下側にある照明ユニット２Ｄを「第一照明ユニット２Ｄ−１」と呼び、図７中で右側にある照明ユニット２Ｄを「第二照明ユニット２Ｄ−２」と呼ぶ。第一照明ユニット２Ｄ−１が備える第一導光体１８は、第二照明ユニット２Ｄ−２が備える第二導光体１９に対して一体化している。第一照明ユニット２Ｄ−１の第一光放射面１８ｂは、第二照明ユニット２Ｄ−２の第二光放射面１９ｂに対して連続している。第一照明ユニット２Ｄ−１の第一発光素子４から第一導光体１８内に入射した光の一部は、第二照明ユニット２Ｄ−２の第二導光体１９の内部まで進み、第二照明ユニット２Ｄ−２の第二光放射面１９ｂから外部へ放射され得る。第二照明ユニット２Ｄ−２の第二発光素子５から第二導光体１９内に入射した光の一部は、第一照明ユニット２Ｄ−１の第一導光体１８の内部まで進み、第一照明ユニット２Ｄ−１の第一光放射面１８ｂから外部へ放射され得る。
【００６９】
第一光放射面１８ｂ及び第二光放射面１９ｂから出射する光を拡散させてもよい。図７中の拡散光Ｒ３は、第一光放射面１８ｂから拡散して放射される光の光線の例である。
【００７０】
第一光放射面１８ｂ及び第二光放射面１９ｂから放射された光の一部は、隣り合う放熱フィン８ａの間を通過する。図７中の光線Ｒ４は、第一光放射面１８ｂから放射され、隣り合う放熱フィン８ａの間を通過する光線の例である。
【００７１】
本実施の形態であれば、第一光放射面１８ｂ及び第二光放射面１９ｂから放射された光の一部が、隣り合う放熱フィン８ａの間を通過することで、以下の効果が得られる。放熱フィン８ａによって遮られる光を少なくできる。このため、照明装置１Ｄの配光特性がより良好となる。
【００７２】
軸線ＡＸの方向から見たとき、照明装置１Ｄが備える複数の照明ユニット２Ｄの第一導光体１８及び第二導光体１９は、全体として、環状に配置されている。照明装置１Ｄが備える複数の照明ユニット２Ｄの第一導光体１８及び第二導光体１９は、全体として、円筒に近い形状を呈するように配置される。
【００７３】
本実施の形態の照明装置１Ｄによれば、軸線ＡＸに対して放射状に全周へ配光することが可能となる。すなわち、良好な全周配光を達成できる。図示の構成に代えて、第一導光体１８及び第二導光体１９の形状を平板状とし、複数の照明ユニット２Ｄの第一導光体１８及び第二導光体１９が、全体として、角筒に近い形状を呈するように配置されてもよい。その場合においても、本実施の形態に類似した効果が得られる。
【００７４】
照明装置１Ｄの外部空間は、第一光放射面１８ｂ及び第二光放射面１９ｂが面する「表空間」に相当する。照明装置１Ｄの内部空間は、複数の照明ユニット２Ｄにより囲まれる空間である。照明装置１Ｄの内部空間は、第一導光体１８の裏面１８ｄ及び第二導光体１９の裏面１９ｄが面する「裏空間」に相当する。本実施の形態において、フィンアセンブリ８は、照明装置１Ｄの外部空間に存在している。照明装置１Ｄの外部空間は、照明装置１Ｄの内部空間に比べて、空気が流れやすく、熱がこもりにくい。熱のこもりにくい照明装置１Ｄの外部空間にフィンアセンブリ８が存在することで、フィンアセンブリ８による放熱効率をより高くすることが可能となる。
【００７５】
本実施の形態では、照明装置１Ｄの内部空間は、軸線ＡＸの方向の両端側で、照明装置１Ｄの外部空間に続いている。このため、照明装置１Ｄの内部空間を、軸線ＡＸの方向に沿って、空気が通過可能である。これにより、以下の効果が得られる。照明装置１Ｄの内部空間にこもる熱を低減できる。照明装置１Ｄの内部空間の温度を低減できる。照明装置１Ｄの内部空間に面するベース３の表面からの熱の散逸を促進できるので、第一発光素子４及び第二発光素子５の温度をより低くすることが可能となる。
【００７６】
第一導光体１８の裏面１８ｄ及び第二導光体１９の裏面１９ｄに、光を反射させる反射層が備えられてもよい。あるいは、当該反射層を備えない場合には、第一導光体１８の裏面１８ｄ及び第二導光体１９の裏面１９ｄから光が照明装置１Ｄの内部空間へ出射してもよい。照明装置１Ｄの内部空間へ出射した光は、第一導光体１８の裏面１８ｄまたは第二導光体１９の裏面１９ｄから第一導光体１８または第二導光体１９内へ再び入射し、第一光放射面１８ｂまたは第二光放射面１９ｂから照明装置１Ｄの外部空間へ放射される。本実施の形態であれば、照明装置１Ｄの外部空間にフィンアセンブリ８が存在するので、照明装置１Ｄの内部空間へ出射した光が放熱フィン８ａに遮られることを防止できる。
【００７７】
図６中の寸法Ｌ４は、第一導光体１８及び第二導光体１９の、軸線ＡＸに平行な方向の最大長さである。図７中の直径Ｄは、環状に配置された複数の第一導光体１８及び第二導光体１９を、軸線ＡＸに対して垂直な平面で切断した断面において、複数の第一光放射面１８ｂ及び第二光放射面１９ｂにより形成される外周面の上にある二点の間の距離が最大になる最大距離として定義される。本実施の形態において、寸法Ｌ４は、直径Ｄに比べて大きい。これにより、以下の効果が得られる。照明装置１Ｄの外径の制約がある場合においても、第一光放射面１８ｂ及び第二光放射面１９ｂの面積を十分に大きくできる。このため、広い面積の第一光放射面１８ｂ及び第二光放射面１９ｂから光を放射することが可能となり、輝度ムラを十分に小さくできる。
【００７８】
実施の形態５．
次に、図８から図１１を参照して、実施の形態５について説明するが、前述した実施の形態１及び４との相違点を中心に説明し、同一部分または相当部分については説明を簡略化または省略する。図８は、実施の形態５による照明装置１Ｅを示す斜視図である。図８に示す照明装置１Ｅは、軸線ＡＸを中心とする周方向に沿って配置された３個の照明ユニット２Ｅを備える。照明ユニット２Ｅは、実施の形態４における照明ユニット２Ｄと比べて、フィンアセンブリ８に代えてフィンアセンブリ２０を備える。フィンアセンブリ２０は、照明装置１Ｄの内部空間に存在する。
【００７９】
図９は、図８に示す照明装置１Ｅの照明ユニット２Ｅから第一導光体１８及び第二導光体１９を除去した状態を示す斜視図である。図９に示すように、ベース３は、第一表面３ａ、第二表面３ｂ、外表面３ｃ、及び内表面３ｆを有する。内表面３ｆは、第一表面３ａ及び第二表面３ｂとは異なる方向を向く第三表面に相当する。
【００８０】
フィンアセンブリ２０は、複数の放熱フィン２０ａを備える。フィンアセンブリ２０は、複数の放熱フィン２０ａの集合体である。放熱フィン２０ａは、ベース３の内表面３ｆに隣り合うように位置する。放熱フィン２０ａは、ベース３の長手方向に沿う表面を有する板状の形状を有する。放熱フィン２０ａは、ベース３の内表面３ｆに対して垂直な方向に突出する。ベース３の長手方向に対し垂直な方向に沿って、複数の放熱フィン２０ａが並んでいる。隣り合う放熱フィン２０ａの間に空間が形成される。
【００８１】
本実施の形態において照明ユニット２Ｅは、ヒートパイプ２２を備える。ヒートパイプ２２は、ベース３に対してフィンアセンブリ２０を熱的に接続する。ヒートパイプ２２は、ベース３の内部に配置された部分と、複数の放熱フィン２０ａを貫くように配置された部分とを有する。本実施の形態であれば、ベース３からフィンアセンブリ２０への熱の移動をヒートパイプ２２によって促進することができる。
【００８２】
フィンアセンブリ２０がベース３に対して熱伝導可能に接していてもよい。フィンアセンブリ２０がベース３に対して直接固定されていてもよい。フィンアセンブリ２０がベース３に対して一体的に形成されていてもよい。これらの場合には、熱がベース３からフィンアセンブリ２０へ直接的に移動できる。
【００８３】
フィンアセンブリ２０がヒートパイプ２２を介してベース３に支持されている場合には、フィンアセンブリ２０がベース３に対して直接固定されていなくてもよいし、フィンアセンブリ２０がベース３に接していなくてもよい。
【００８４】
照明ユニット２Ｅは、ヒートパイプ２２を備えなくてもよい。ヒートパイプ２２を備えない場合には、フィンアセンブリ２０がベース３に対して直接固定されるか、フィンアセンブリ２０がベース３に対して一体的に形成されればよい。
【００８５】
図１０は、図８に示す照明装置１Ｅを軸線ＡＸに平行な方向から見た図である。図１０中のＬ５は、第一導光体１８の第一エッジ１８ａと、第二導光体１９の第二エッジ１９ａとの最短距離を示す。この最短距離Ｌ５に平行な方向を「第一方向」と称する。フィンアセンブリ２０の第一方向の寸法Ｌ６は、第一方向についてのフィンアセンブリ２０の最大長さである。寸法Ｌ６は、最短距離Ｌ５に比べて大きい。これにより、以下の効果が得られる。フィンアセンブリ２０を十分に大きくできるので、フィンアセンブリ２０の総表面積を十分に大きくできる。それゆえ、照明ユニット２Ｅの点灯時の第一発光素子４及び第二発光素子５の温度を確実に低くできる。その結果、第一発光素子４及び第二発光素子５のエネルギー効率を十分に良好にできるとともに、第一発光素子４及び第二発光素子５の寿命を確実に長くできる。
【００８６】
第一エッジ１８ａと第二エッジ１９ａとの最短距離Ｌ５は、第一光放射面１８ｂと第二光放射面１９ｂとの間の非発光領域２３の幅に相当する。本実施の形態であれば、当該距離Ｌ５が、フィンアセンブリ２０の第一方向の寸法Ｌ６に比べて小さいことで、以下の効果が得られる。第一光放射面１８ｂ及び第二光放射面１９ｂによる発光領域２４の面積に比べて、上記非発光領域２３の面積を十分に小さくできる。よって、非発光領域２３の存在に起因する輝度ムラを確実に軽減できる。
【００８７】
本実施の形態において、フィンアセンブリ２０は、照明装置１Ｄの内部空間に配置されている。すなわち、フィンアセンブリ２０は、第一導光体１８の裏面１８ｄ及び第二導光体１９の裏面１９ｄが面する「裏空間」に存在する。これにより、以下の効果が得られる。第一光放射面１８ｂ及び第二光放射面１９ｂから放射された光がフィンアセンブリ２０によって遮られることがないので、照明装置１Ｅの配光特性をさらに良好にできる。
【００８８】
本実施の形態では、第一導光体１８の裏面１８ｄ及び第二導光体１９の裏面１９ｄに、光を反射させる反射層が備えられることが望ましい。
【００８９】
図１１は、図８に示す照明装置１Ｅの縦断面図である。図１１は、軸線ＡＸを含む平面における断面図である。図１１中の矢印の付いた太線は、空気の流れの例を示す。本実施の形態では、照明装置１Ｅの内部空間は、軸線ＡＸの方向の両端側で、照明装置１Ｅの外部空間に続いている。このため、照明装置１Ｅの内部空間を、軸線ＡＸの方向に沿って、空気が通過可能である。これにより、以下の効果が得られる。照明装置１Ｅの内部空間に配置されたフィンアセンブリ２０からの熱の散逸を促進できる。特に、軸線ＡＸの方向に沿う表面を放熱フィン２０ａが有しているので、放熱フィン２０ａの表面に沿って円滑に空気が流れる。よって、フィンアセンブリ２０からの熱の散逸をより確実に促進できる。
【００９０】
実施の形態６．
次に、図１２を参照して、実施の形態６について説明するが、前述した実施の形態１及び４との相違点を中心に説明し、同一部分または相当部分については説明を簡略化または省略する。図１２は、実施の形態６による照明装置１Ｆを示す斜視図である。本実施の形態の照明装置１Ｆは、実施の形態４の照明装置１Ｄと同一または類似の構成に加えて、第三発光素子２５を備える。照明装置１Ｆは、複数の照明ユニット２Ｄにより囲まれる内部空間を有する。第三発光素子２５は、照明装置１Ｆの内部空間に配置されている。
【００９１】
第三発光素子２５は、半導体光源でもよい。第三発光素子２５は、例えば、発光ダイオード（ＬＥＤ）素子でもよい。第三発光素子２５は、例えば、表面実装型ＬＥＤパッケージ、チップ・スケール・パッケージのＬＥＤ、砲弾型ＬＥＤパッケージ、配光レンズ付きＬＥＤパッケージ、チップ・オン・ボード（ＣＯＢ）タイプのＬＥＤパッケージのいずれかでもよい。第三発光素子２５は、ＬＥＤ素子に限らず、例えば、有機エレクトロルミネセンス（ＥＬ）素子、半導体レーザ素子などでもよい。
【００９２】
第三発光素子２５から発せられた光は、第一導光体１８の裏面１８ｄまたは第二導光体１９の裏面１９ｄから第一導光体１８または第二導光体１９内へ入射し、第一光放射面１８ｂまたは第二光放射面１９ｂから照明装置１Ｆの外部空間へ放射される。第三発光素子２５から発せられた光は、第一導光体１８を透過して、第一光放射面１８ｂから放射される。第三発光素子２５から発せられた光は、第二導光体１９を透過して、第二光放射面１９ｂから放射される。本実施の形態であれば、第三発光素子２５を備えたことで、照明装置１Ｆの外部空間へ放射される光の量を実施の形態４よりも多くすることが可能となる。
【００９３】
第三発光素子２５は、照明ユニット２Ｄの第一発光素子４及び第二発光素子５とは異なる発光色を有するものでもよい。第三発光素子２５が、第一発光素子４及び第二発光素子５とは異なる発光色を有する場合には、以下の効果が得られる。第一発光素子４及び第二発光素子５から発せられた光と、第三発光素子２５から発せられた光との混色により、照明装置１Ｆの外部空間へ放射される光の色を変化させることが可能となる。第一発光素子４及び第二発光素子５に流す電流と、第三発光素子２５に流す電流との少なくとも一方を調整することで、混色の状態を制御することが可能である。
【００９４】
本実施の形態において、第三発光素子２５は、軸線ＡＸに沿って配置された支柱２６により支持されている。支柱２６は、三角柱またはそれに近い形状を有する。支柱２６の三つの側面のそれぞれに第三発光素子２５が配置されている。支柱２６は、第三発光素子２５が実装された光源基板を支持する。複数の第三発光素子２５が軸線ＡＸに沿って並んでいる。第三発光素子２５で発生した熱は、熱伝導により、支柱２６及び支持体１６へ移動することで散逸する。第三発光素子２５の光軸は、隣り合う二つのベース３の間を通る。第三発光素子２５の光軸は、軸線ＡＸに対して垂直である。
【００９５】
実施の形態７．
次に、図１３を参照して、実施の形態７について説明するが、前述した実施の形態との相違点を中心に説明し、同一部分または相当部分については説明を簡略化または省略する。図１３は、実施の形態７による照明装置１Ｇを示す斜視図である。本実施の形態の照明装置１Ｇは、実施の形態４と同一または類似の複数の照明ユニット２Ｄと、実施の形態５と同一または類似の複数の照明ユニット２Ｅとを備える。複数の照明ユニット２Ｄで囲まれる内部空間に、複数の照明ユニット２Ｅが配置されている。
【００９６】
内側の照明ユニット２Ｅの第一光放射面１８ｂまたは第二光放射面１９ｂから発せられた光は、外側の照明ユニット２Ｄの第一導光体１８または第二導光体１９を透過して、照明装置１Ｇの外部空間へ放射される。このように、外側の照明ユニット２Ｄによる光に加えて、内側の照明ユニット２Ｅによる光が放射されることで、照明装置１Ｇの外部空間へ放射される光の量を多くすることが可能となる。
【００９７】
内側の照明ユニット２Ｅは、外側の照明ユニット２Ｄとは異なる発光色を有するものでもよい。内側の照明ユニット２Ｅが、外側の照明ユニット２Ｄとは異なる発光色を有する場合には、以下の効果が得られる。内側の照明ユニット２Ｅから発せられた光と、外側の照明ユニット２Ｄから発せられた光との混色により、照明装置１Ｇの外部空間へ放射される光の色を変化させることが可能となる。内側の照明ユニット２Ｅに流す電流と、外側の照明ユニット２Ｄに流す電流との少なくとも一方を調整することで、混色の状態を制御することが可能である。
【００９８】
実施の形態８．
次に、図１４を参照して、実施の形態８について説明するが、前述した実施の形態との相違点を中心に説明し、同一部分または相当部分については説明を簡略化または省略する。図１４は、実施の形態８による照明装置１Ｈを示す斜視図である。本実施の形態の照明装置１Ｈは、複数の照明ユニット２Ｈを備える。照明ユニット２Ｈは、実施の形態４と同一または類似のフィンアセンブリ８と、実施の形態５と同一または類似のフィンアセンブリ２０とを備える。本実施の形態であれば、照明装置１Ｈの外部空間に配置されるフィンアセンブリ８と、照明装置１Ｈの内部空間に配置されるフィンアセンブリ２０との双方を備えたことで、点灯時における第一発光素子４及び第二発光素子５の温度をさらに低くすることが可能となる。
【符号の説明】
【００９９】
１Ａ，１Ｂ，１Ｃ，１Ｄ，１Ｅ，１Ｆ，１Ｇ，１Ｈ  照明装置、  ２Ａ，２Ｂ，２Ｃ，２Ｅ，２Ｈ  照明ユニット、  ３  ベース、  ３ａ  第一表面、  ３ｂ  第二表面、  ３ｃ  外表面、  ３ｆ  内表面、  ４  第一発光素子、  ５  第二発光素子、  ６  第一導光体、  ６ａ  第一エッジ、  ６ｂ  第一光放射面、  ７  第二導光体、  ７ａ  第二エッジ、  ７ｂ  第二光放射面、  ８  フィンアセンブリ、  ８ａ  放熱フィン、  ９  ヒートパイプ、  １１  第一導光体、  １２  第二導光体、  １３  第一導光体、  １４  第二導光体、  １５  口金、  １６  支持体、  １７  口金保持部、  １８  第一導光体、  １８ａ  第一エッジ、  １８ｂ  第一光放射面、  １９  第二導光体、  １９ａ  第二エッジ、  １９ｂ  第二光放射面、  ２０  フィンアセンブリ、  ２０ａ  放熱フィン、  ２２  ヒートパイプ、  ２５  第三発光素子
【図１】
0006766891.tif 000002
【図２】
0006766891.tif 000003
【図３】
0006766891.tif 000004
【図４】
0006766891.tif 000005
【図５】
0006766891.tif 000006
【図６】
0006766891.tif 000007
【図７】
0006766891.tif 000008
【図８】
0006766891.tif 000009
【図９】
0006766891.tif 000010
【図１０】
0006766891.tif 000011
【図１１】
0006766891.tif 000012
【図１２】
0006766891.tif 000013
【図１３】
0006766891.tif 000014
【図１４】
0006766891.tif 000015